【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
自由形式テキストを含む複数の入力を、各々がオンラインソーシャルネットワークの複数のユーザに対応する複数のクライアントデバイスの各々から受け取るステップであって、各入力の前記自由形式テキストは、前記オンラインソーシャルネットワークに関連する１つのオブジェクトに対応する、ステップと、
前記自由形式テキストの自然言語処理の適用を通して、前記オブジェクトに関連する複数のアフィニティ宣言を決定するステップであって、各アフィニティ宣言は、前記自由形式テキストに含まれている、ステップと、
各アフィニティ宣言について、前記複数のユーザのうちの対応するユーザと前記オブジェクトとの間のアフィニティ係数を決定する、アフィニティ係数決定ステップと、
決定された前記アフィニティ係数の各々について、前記対応するユーザのソーシャルネットワーキング情報に基づいて、決定された前記アフィニティ係数を動的に調整するステップであって、前記ソーシャルネットワーキング情報は、決定された前記アフィニティ係数を強化または低減する、ステップと、
しきい値数の前記対応するユーザについての決定された前記アフィニティ係数がしきい値を超えたことを決定するに際し、前記オンラインソーシャルネットワークにおいて表示するための前記オブジェクトに関連するハブ・ページを作成する、ページ作成ステップとを備える、方法。
【請求項２】
前記オンラインソーシャルネットワークに関連する前記ハブ・ページを発行するステップと、
発行された前記ハブ・ページと対話する推奨を前記クライアントデバイスの１以上の各々に送信するステップとをさらに備える、請求項１に記載の方法。
【請求項３】
前記推奨を送信するステップは、前記対応するユーザと前記オブジェクトとの間の前記アフィニティ係数に基づく、請求項２に記載の方法。
【請求項４】
前記オブジェクトは、人、位置、会社、または組織に関連する、請求項１に記載の方法。
【請求項５】
複数のノードと、前記ノード同士を接続する複数のエッジとを備えるソーシャル・グラフにアクセスするステップであって、前記ノードの２つの間の前記エッジの各々は、それらノードの間の単一の分離の度合いを表し、前記ノードは、
各々が前記オンラインソーシャルネットワークの前記複数のユーザのうちの１つに対応する複数のユーザノードと、
各々が前記オンラインソーシャルネットワークに関連する１つの概念に対応する複数の概念ノードと、を備える、ステップをさらに備える、請求項１に記載の方法。
【請求項６】
前記ページ作成ステップは、前記オブジェクトに対応する概念ノードを作成するステップを備える、請求項５に記載の方法。
【請求項７】
前記アフィニティ係数は、自然言語処理に基づく、請求項１に記載の方法。
【請求項８】
前記アフィニティ係数決定ステップは、コンテキスト・データを自由形式テキストから抽出するステップであって、前記コンテキスト・データは、時間、位置、または、前記自由形式テキストに関連しているオブジェクトとの対話を備える、ステップを備える、請求項１に記載の方法。
【請求項９】
前記オブジェクトは、第１のオブジェクトであり、第２のオブジェクトのより特定のインスタンスであり、前記第２のオブジェクトは、前記オンラインソーシャルネットワークにおいて表示されたページに既に関連している、請求項１に記載の方法。
【請求項１０】
ソフトウェアを具現化する１以上の非一時的コンピュータ可読媒体であって、前記ソフトウェアは、実行されると、
自由形式テキストを含む複数の入力を、各々がオンラインソーシャルネットワークの複数のユーザに対応する複数のクライアントデバイスの各々から受け取るステップであって、各入力の前記自由形式テキストは、前記オンラインソーシャルネットワークに関連する１つのオブジェクトに対応する、ステップと、
前記自由形式テキストの自然言語処理の適用を通して、前記オブジェクトに関連する複数のアフィニティ宣言を決定するステップであって、各アフィニティ宣言は、前記自由形式テキストに含まれている、ステップと、
各アフィニティ宣言について、前記複数のユーザのうちの対応するユーザと前記オブジェクトとの間のアフィニティ係数を決定する、アフィニティ係数決定ステップと、
決定された前記アフィニティ係数の各々について、前記対応するユーザのソーシャルネットワーキング情報に基づいて、決定された前記アフィニティ係数を動的に調整するステップであって、前記ソーシャルネットワーキング情報は、決定された前記アフィニティ係数を強化または低減する、ステップと、
しきい値数の前記対応するユーザについての決定された前記アフィニティ係数がしきい値を超えたことを決定するに際し、前記オンラインソーシャルネットワークにおいて表示するための前記オブジェクトに関連するハブ・ページを作成する、ページ作成ステップとが行われるように構成される、媒体。
【請求項１１】
前記ソフトウェアは、実行されると、
前記オンラインソーシャルネットワークに関連する前記ハブ・ページを発行するステップと、
発行された前記ハブ・ページと対話する推奨を前記クライアントデバイスの１以上の各々に送信するステップとが行われるようにさらに構成される、請求項１０に記載の媒体。
【請求項１２】
前記推奨を送信するステップは、前記対応するユーザと前記オブジェクトとの間の前記アフィニティ係数に基づく、請求項１１に記載の媒体。
【請求項１３】
前記オブジェクトは、人、位置、会社、または組織に関連する、請求項１０に記載の媒体。
【請求項１４】
前記ソフトウェアは、実行されると、
複数のノードと、前記ノード同士を接続する複数のエッジとを備えるソーシャル・グラフにアクセスするステップであって、前記ノードの２つの間の前記エッジの各々は、それらノードの間の単一の分離の度合いを表し、前記ノードは、
各々が前記オンラインソーシャルネットワークの前記複数のユーザのうちの１つに対応する複数のユーザノードと、
各々が前記オンラインソーシャルネットワークに関連する１つの概念に対応する複数の概念ノードと、を備える、ステップが行われるようにさらに構成される、請求項１０に記載の媒体。
【請求項１５】
前記ページ作成ステップは、前記オブジェクトに対応する概念ノードを作成するステップを備える、請求項１４に記載の媒体。
【請求項１６】
前記アフィニティ係数は、自然言語処理に基づく、請求項１０に記載の媒体。
【請求項１７】
１以上のプロセッサと、
前記プロセッサに結合され、前記プロセッサによって実行可能な命令を備えるメモリとを備え、前記プロセッサは、前記命令が実行されると、
自由形式テキストを含む複数の入力を、各々がオンラインソーシャルネットワークの複数のユーザに対応する複数のクライアントデバイスの各々から受け取るステップであって、各入力の前記自由形式テキストは、前記オンラインソーシャルネットワークに関連する１つのオブジェクトに対応する、ステップと、
前記自由形式テキストの自然言語処理の適用を通して、前記オブジェクトに関連する複数のアフィニティ宣言を決定するステップであって、各アフィニティ宣言は、前記自由形式テキストに含まれている、ステップと、
各アフィニティ宣言について、前記複数のユーザのうちの対応するユーザと前記オブジェクトとの間のアフィニティ係数を決定する、アフィニティ係数決定ステップと、
しきい値数のユーザについての前記アフィニティ係数がしきい値を超えたことを決定するに際し、前記オンラインソーシャルネットワークにおいて表示するための前記オブジェクトに関連するページを作成する、ページ作成ステップとが行われるように構成される、システム。
【請求項１８】
前記プロセッサは、前記命令が実行されると、
前記オンラインソーシャルネットワークに関連する前記ページを発行するステップと、
発行された前記ページと対話する推奨を前記クライアントデバイスの１以上の各々に送信するステップとが行われるようにさらに構成される、請求項１７に記載のシステム。
【請求項１９】
前記アフィニティ係数決定ステップは、コンテキスト・データを自由形式テキストから抽出するステップであって、前記コンテキスト・データは、時間、位置、または、前記自由形式テキストに関連しているオブジェクトとの対話を備える、ステップを備える、請求項１７に記載のシステム。
【請求項２０】
前記オブジェクトは、第１のオブジェクトであり、第２のオブジェクトのより特定のインスタンスであり、前記第２のオブジェクトは、前記オンラインソーシャルネットワークにおいて表示されたページに既に関連している、請求項１７に記載のシステム。